(57)【特許請求の範囲】
【請求項１】
ホログラム記録媒体の評価装置において、
該ホログラム記録媒体を保持するテーブルと、
該ホログラム記録媒体にデータを記録する際、該ホログラム記録媒体に記録データに相当する信号を含んだ情報レーザ光を照射する情報レーザ光照射手段と、
該ホログラム記録媒体にデータを記録する際、該ホログラム記録媒体に該情報レーザ光とは異なった角度で記録用参照レーザ光を照射する記録用参照レーザ光照射手段と、
該ホログラム記録媒体にデータを記録する際、該ホログラム記録媒体の記録領域の回折効率を測定する回折効率測定手段と、
該ホログラム記録媒体に所定の該回折効率になるまで多重記録を行い、該多重記録を行える限界回数を評価用特性として計測する多重記録限界計測手段とを備えることを特徴とするホログラム記録媒体の評価装置。
【請求項２】
前記回折効率測定手段が、
前記情報レーザ光及び前記記録用参照レーザ光とは異なる波長の回折効率測定用レーザ光を前記ホログラム記録媒体の記録領域へ照射する回折効率測定用レーザ光照射手段と、
該回折効率測定用レーザ光が該ホログラム記録媒体の記録領域において回折したレーザ光の強度及び透過したレーザ光の強度をそれぞれ測定するレーザ光強度測定手段と、
該レーザ光強度測定手段により測定した回折したレーザ光の強度及び透過したレーザ光の強度により、該ホログラム記録媒体の記録領域における回折効率を計算する回折効率計算手段とを備えることを特徴とする請求項１記載のホログラム記録媒体の評価装置。
【請求項３】
ホログラム記録媒体の評価方法において、
該ホログラム記録媒体にデータを記録する際、該ホログラム記録媒体の記録領域の回折効率を測定し、
該ホログラム記録媒体に所定の該回折効率になるまで多重記録を行い、該多重記録を行える限界回数を評価用特性として計測することを特徴とするホログラム記録媒体の評価方法。
【請求項４】
記録データに相当する信号を含んだ情報レーザ光及び該情報レーザ光とは異なった角度で照射する記録用参照レーザ光の２つのレーザ光とは異なる波長の回折効率測定用レーザ光を前記ホログラム記録媒体の記録領域へ照射し、
該回折効率測定用レーザ光が該ホログラム記録媒体の記録領域において回折したレーザ光の強度及び透過したレーザ光の強度をそれぞれ測定し、
測定した回折したレーザ光の強度及び透過したレーザ光の強度により、該ホログラム記録媒体の記録領域における回折効率を計算することを特徴とする請求項３記載のホログラム記録媒体の評価方法。
【発明の詳細な説明】
【技術分野】
【０００１】
本発明は、ホログラム記録媒体の特性を評価するためのホログラム記録媒体の評価装置及びホログラム記録媒体の評価方法に関する。
【背景技術】
【０００２】
従来より、ホログラム記録媒体の評価用特性の１つとして、Ｍナンバー（Ｍ／＃）が用いられている。このＭナンバー（Ｍ／＃）は、例えば特許文献１に記載されているように、ホログラム記録媒体の記録層内の同一領域に記録が出来なくなるまでｎページのホログラムを多重記録し、再生した際のホログラムからの回折効率により求められる特性である。
【０００３】
このＭナンバー（Ｍ／＃）は、ｎページのホログラムを多重記録した後、参照レーザ光をホログラム記録媒体に照射し、各々の記録における回折効率を測定すれば求めることができる。回折効率は、参照レーザ光において透過した光の強度と回折した光の強度を測定することで検出することができる。
【特許文献１】特開２００５−２０８４２６号公報
【発明の開示】
【発明が解決しようとする課題】
【０００４】
しかしながら、ホログラム記録媒体には、多重記録数が大きくても各々の記録の回折効率が小さいものがある。このようなホログラム記録媒体は、Ｍナンバー（Ｍ／＃）は大きくなるが、ホログラム記録媒体に記録した情報を精度よく再生するには、参照レーザ光の回折効率が少なくとも１%程度あることが必要であり、もし各々の記録の回折効率がこれより小さかったとすると、データの再生においてフォトセンサの受光光量が小さく、精度のよいデータの再生を行うことができない。すなわち、従来のホログラム記録媒体の評価用特性であるＭナンバー（Ｍ／＃）は、その値が大きくても、各々の記録の回折効率が小さければ精度のよい再生ができない記録が多数されているということであり、必ずしも多重記録性能を表しているとはいえない場合がある。
【０００５】
本発明は、このような事情に鑑みてなされたもので、ホログラム記録媒体の多重記録性能を正しく把握することが可能なホログラム記録媒体の評価装置及びホログラム記録媒体の評価方法を提供することにある。
【課題を解決するための手段】
【０００６】
請求項１記載のホログラム記録媒体の評価装置は、ホログラム記録媒体を保持するテーブルと、ホログラム記録媒体にデータを記録する際、ホログラム記録媒体に記録データに相当する信号を含んだ情報レーザ光を照射する情報レーザ光照射手段と、ホログラム記録媒体にデータを記録する際、ホログラム記録媒体に情報レーザ光とは異なった角度で記録用参照レーザ光を照射する記録用参照レーザ光照射手段と、ホログラム記録媒体にデータを記録する際、ホログラム記録媒体の記録領域の回折効率を測定する回折効率測定手段と、ホログラム記録媒体に所定の該回折効率になるまで多重記録を行い、多重記録を行える限界回数を評価用特性として計測する多重記録限界計測手段とを備えることを特徴とする。
【０００７】
請求項２記載のホログラム記録媒体の評価装置は、回折効率測定手段が、情報レーザ光及び記録用参照レーザ光とは異なる波長の回折効率測定用レーザ光をホログラム記録媒体の記録領域へ照射する回折効率測定用レーザ光照射手段と、回折効率測定用レーザ光がホログラム記録媒体の記録領域において回折したレーザ光の強度及び透過したレーザ光の強度をそれぞれ測定するレーザ光強度測定手段と、レーザ光強度測定手段により測定した回折したレーザ光の強度及び透過したレーザ光の強度により、ホログラム記録媒体の記録領域における回折効率を計算する回折効率計算手段とを備えることを特徴とする。
【０００８】
請求項３記載のホログラム記録媒体の評価方法は、ホログラム記録媒体にデータを記録する際、ホログラム記録媒体の記録領域の回折効率を測定し、ホログラム記録媒体に所定の回折効率になるまで多重記録を行い、多重記録を行える限界回数を評価用特性として計測することを特徴とする。
【０００９】
請求項４記載のホログラム記録媒体の評価方法は、記録データに相当する信号を含んだ情報レーザ光及び情報レーザ光とは異なった角度で照射する記録用参照レーザ光の２つのレーザ光とは異なる波長の回折効率測定用レーザ光をホログラム記録媒体の記録領域へ照射し、回折効率測定用レーザ光がホログラム記録媒体の記録領域において回折したレーザ光の強度及び透過したレーザ光の強度をそれぞれ測定し、測定した回折したレーザ光の強度及び透過したレーザ光の強度により、ホログラム記録媒体の記録領域における回折効率を計算することを特徴とする。
【発明の効果】
【００１０】
請求項１及び請求項３の発明によれば、ホログラム記録媒体に所定の回折効率になるまで多重記録を行い、多重記録を行える限界回数を評価用特性として計測することから、ホログラム記録媒体に精度のよい再生を行える記録を何回行うことができるかを表す数値を求めることができ、ホログラム記録媒体の実質上の多重記録性能を正しく把握することが可能である。
【００１１】
請求項２及び請求項４の発明によれば、回折効率測定用レーザ光がホログラム記録媒体の記録領域において回折したレーザ光の強度及び透過したレーザ光の強度をそれぞれ測定し、測定した回折したレーザ光の強度及び透過したレーザ光の強度により、ホログラム記録媒体の記録領域における回折効率を計算することから、各々の記録において所定の回折効率になるまで記録を行うことができ、多重記録を行える限界回数によりホログラム記録媒体の実質上の多重記録性能を正しく把握することが可能である。
【発明を実施するための最良の形態】
【００１２】
以下、本発明の形態について図面を参照しながら具体的に説明する。図１は、本発明に係るホログラム記録媒体評価装置の一例を示す構成図である。図２は、レーザ光の照射時間に対するホログラム記録媒体の回折効率ηの変化を示した図である。図３は、η%多重数測定用プログラムにおけるホログラム記録媒体評価装置の動作を示すフローチャートである。
【００１３】
図において、ホログラム記録媒体５の特性を評価するホログラム記録媒体評価装置１は、レーザ光源１００，１１０、各種光学系素子１０２〜１１２、フォトセンサ１１４，１１６、レーザ駆動回路５２，５４、角度制御回路６２、位置制御回路６４、コントローラ２０、入力装置２２、表示装置２４等から構成されている。
【００１４】
コントローラ２０は、ホログラム記録媒体評価装置１の全体の制御を行うもので、データを入力するための入力装置２２及び、データや各種設定を表示する表示装置２４が接続されている。そして、後述するレーザ駆動回路５２，５４、角度制御回路６２、位置制御回路６４等が接続され、それらの制御を行うことで全体の制御が行われる。
【００１５】
尚、以降の説明で、ホログラム記録媒体５への多重記録における各々の記録において、所定の回折効率になるまで記録を行った際の多重記録を行える限界回数を、「η%多重数」という。各々の記録におけるレーザ照射時間と回折効率の変化を図で示すと図２のようになる。多重記録を行っていくにしたがい、回折効率の上昇速度が落ちていき、ある回数までいくといくらレーザ光を照射しても所定の回折効率にまで達しない（飽和した回折効率が設定した回折効率より低い）状態になる。この状態になるまでに行った多重記録の回数が「η%多重数」である。
【００１６】
次に、本実施例のホログラム記録媒体評価装置１の詳細な構成及び動作を説明する。まず、記録用のレーザ光源１００から出射したレーザ光は、コリメートレンズ１０２で平行光になった後、ビームスプリッタ１０４で情報レーザ光と記録用参照用レーザ光に分割される。この場合の情報レーザ光は、ＳＬＭ（空間光変調素子）を通していないので、実質的には情報レーザ光と記録用参照用レーザ光とは同一である。２つに分割されたレーザ光はミラー１０６、１０８で反射されて異なる角度でホログラム記録媒体５に照射され記録が行われる（この場合は情報を持たない記録）。
【００１７】
記録用のレーザ光とは別に、回折効率測定用レーザ光がある。回折効率測定用レーザ光のレーザ光源１１０から照射されたレーザ光は、コリメー卜レンズ１１２で平行光になった後、情報レーザ光と記録用参照用レーザ光とは異なった角度でホログラム記録媒体５に照射される。ホログラム記録媒体５で回折したレーザ光は、フォトセンサ１１４で受光され、透過したレーザ光はフォトセンサ１１６で受光されて、受光光量に相当する信号が出力される。このように構成されたホログラム記録媒体評価装置１において、作業者はホログラム記録媒体５をステージにセットした後、入力装置２２からコントローラ２０に、図３に示された流れのプログラムの実行を指示することにより、自動でη%多重数が測定され、表示装置２４に表示されることになる。
【００１８】
以下、図３に示すフローチャートに従って説明する。尚、以後の説明において、括弧内の符号は図３のフローチャートの符号に対応している。まず、個々の記録における回折効率として設定する値Ｘ%を、適切な値（例えば１．５%）を入力装置２２で入力する（Ｓ１０２）。次に、回折効率測定用レーザ光が照射され（Ｓ１０６）、記録用参照用レーザ光の照射角度（ミラーの位置と角度）が設定される（Ｓ１０８）。
【００１９】
次に、情報レーザ光と記録用参照レーザ光の２つが照射され記録が開始される（Ｓ１１０）。既に回折効率測定用レーザ光は照射され、フォトセンサ１１４，１１６が検出した光量はコントローラ２０に入力しているので、回折効率ηが計算される（Ｓ１１６）。回折効率ηがＸ%以上になったか確認し（Ｓ１１８）、なってなければ回折効率が飽和していないか確認した後（Ｓ１２８〜Ｓ１３６）、飽和していなければ計算値をクリアして（Ｓ１３０）、回折効率の計算（Ｓ１１６）に戻る。
【００２０】
そして、回折効率ηがＸ%以上になったときは（Ｓ１１８）、レーザ光を停止し（Ｓ１２０）、ｎの数を１増やし（Ｓ１２２）、照射時間計測を停止し、計測値をリセットして（Ｓ１２４）、レーザ光の照射角度（ミラーの位置と角度）を変更し（Ｓ１２６）、上述のレーザ光の照射（Ｓ１１０）に戻る。そして次の多重記録を行う。ｎの数が多重記録の回数になる。
【００２１】
次に、回折効率が飽和していないかの確認（Ｓ１２８〜Ｓ１３６）について以下に説明する。まず、レーザ光の照射（Ｓ１１０）と共に計測開始（Ｓ１１２）した照射時間Ｔが、時間ｍ・Ｙ（時間Ｙはあらかじめ設定される。ｍは時間Ｙがたつごとに１ずつ増える）になったか確認し（Ｓ１２８）、なってなければ計算値をクリアして（Ｓ１３０）、回折効率の計算（Ｓ１１６）に戻る。なっていれば前回の回折効率ηとの差を比較する（Ｓ１３２）。このとき差がＺ（実質的に差がないとされる値、計測精度の範囲内で予め定める）より大きければ、回折効率ηはまだ増え続けているとして今回の回折効率ηをメモリし（Ｓ１３４）、計算値をクリアして（Ｓ１３０）、回折効率の計算（Ｓ１１６）に戻る。前回の回折効率ηとの差がＺより小さければ（Ｓ１３２）、時間Ｙの間に回折効率ηは変化していないと判断する。すなわち回折効率は飽和したと判断して、レーザ光を停止し（Ｓ１３８、Ｓ１４０）、照射時聞Ｔの計測を停止して（Ｓ１４２）、「η%多重数」としてｎの値を表示装置２４に表示し（Ｓ１４４）、プログラムを停止する。
【００２２】
上記はレーザ光の強度を一定にして回折効率が最初に設定したＸ%を超えずに飽和したとき、多重記録の限界と判定する方法であるが、レーザ光の強度を変化させ、多重記録の限界を判定してもよい。例えば、記録用のレーザ光の照射開始時点の回折効率の変化のスピードが落ちてきたら、それに伴いレーザ光の強度を上げていき、最初のレーザ光の強度より所定の倍率（例えば２倍）に上がったらそれ以上レーザ光の強度を上げるのをやめ、最初に設定したＸ%を超えずに飽和したとき、多重記録の限界と判定するようにしてもよい。
【００２３】
また、飽和した回折効率に伴い、レーザ光の強度を上げていって同じようにしてもよい。さらに、回折効率が最初に設定したＸ%を超えずに飽和することが予想されるまで同一のレーザ光の強度にし、予想されたとき一度にそのレーザ強度より所定の倍率（例えば２倍）に上げて記録を行い、最初に設定したＸ%を超えずに飽和したとき、多重記録の限界と判定するようにしてもよい。
【００２４】
以上のように、本実施例のホログラム記録媒体評価装置１によれば、ホログラム記録媒体５に所定の回折効率になるまで多重記録を行い、多重記録を行える限界回数であるη%多重数を評価用特性として計測することから、ホログラム記録媒体５の実質上の多重記録性能を正しく把握することが可能である。すなわち、η%多重数は精度のよい再生を行なえる記録を何回多重記録することができるかを意味する特性であり、η%多重数により評価すればＭナンバー（Ｍ／＃）により評価するよりもホログラム記録媒体５の多重記録性能を実際の有用性に合致する値で評価することができる。
【００２５】
また、回折効率測定用レーザ光がホログラム記録媒体５の記録領域において回折したレーザ光の強度及び透過したレーザ光の強度をそれぞれ測定し、測定した回折したレーザ光の強度及び透過したレーザ光の強度により、ホログラム記録媒体５の記録領域における回折効率を計算することで、各々の記録において所定の回折効率になるまで記録を行うことができ、η%多重数によりホログラム記録媒体５の実質上の多重記録性能を正しく把握することが可能である。
【産業上の利用可能性】
【００２６】
以上のように、本発明によれば、ホログラム記録媒体の多重記録性能を正しく把握することが可能なホログラム記録媒体の評価装置及びホログラム記録媒体の評価方法を提供できる。
【図面の簡単な説明】
【００２７】
【図１】本発明に係るホログラム記録媒体評価装置の一例を示す構成図である。
【図２】レーザ光の照射時間に対するホログラム記録媒体の回折効率ηの変化を示した図である。
【図３】η%多重数測定用プログラムにおけるホログラム記録媒体評価装置の動作を示すフローチャートである。
【符号の説明】
【００２８】
１・・・・・ホログラム記録媒体評価装置
５・・・・・ホログラム記録媒体
２０・・・・コントローラ
２２・・・・入力装置
２４・・・・表示装置
５２・・・・レーザ駆動回路
５４・・・・レーザ駆動回路
６２・・・・角度制御回路
６４・・・・位置制御回路
１００・・・レーザ光源
１０２・・・コリメートレンズ
１０４・・・ビームスプリッタ
１０６・・・ミラー
１０８・・・ミラー
１１０・・・レーザ光源
１１２・・・コリメートレンズ
１１４・・・フォトセンサ
１１６・・・フォトセンサ
【図１】
0004779694.tif 000002
【図２】
0004779694.tif 000003
【図３】
0004779694.tif 000004